(57)【要約】      （修正有）【課題】来訪者からの呼出時及び玄関の周囲の映像をモニタ監視するモニタ監視時において玄関子機のカメラにて撮像される映像を、玄関の照度に対応させた光が受光された映像をもとに撮像する。【解決手段】来訪者からの呼び出しが夜間帯のように玄関子機１ａにて検知される照度が所定値未満であった場合には、居室親機２ａの制御により玄関子機の白色光発光部１０７が駆動され、この白色光を受光したカメラ１０１ａにて撮像される来訪者の映像を、照度が確保された視認性の高い映像としてモニタ２００に出画させることができる。また、玄関の周囲の映像をモニタ監視するモニタ監視時が夜間帯のように玄関子機にて検知される照度が所定値未満であった場合には、居室親機のＣＰＵの制御により玄関子機の赤外光発光部が駆動され、この赤外光を受光したカメラにて撮像される映像を、照度が確保された視認性の高い映像としてモニタに出画させることができる。【選択図】図１
2009055532.tif 000002
【特許請求の範囲】
【請求項１】
玄関に設置され来訪者が住戸内に在室中の居住者を呼び出して通話を成立させるための玄関子機（１ａ）と、前記住戸内に設置され前記来訪者からの呼び出しを報知し、当該呼び出しに応答した前記居住者が前記来訪者との間で通話を成立させるための居室親機（２ａ）とを設け、
前記玄関子機には、可視光及び赤外光をそれぞれ受光して前記来訪者の映像を撮像可能なカメラ（１０１ａ）と、前記玄関の周囲の照度を検知するための照度検知部（１０６）と、前記玄関の周囲に白色光を照射し、前記カメラにて前記可視光を受光させるための白色光発光部（１０７）と、前記玄関の周囲に前記赤外光を照射し、前記カメラにて前記赤外光を受光させるための赤外光発光部（１０８）とを備え、
前記居室親機には、前記玄関子機の前記カメラにて撮像された映像を出画するためのモニタ（２００）と、前記モニタを出画状態にするための親機操作部（２０５ｂ）と、前記玄関子機の前記照度検知部にて検知される照度が所定値未満であり前記玄関子機からの呼び出しを検出したとき、前記玄関子機の前記白色光発光部を駆動させるとともに前記カメラにて前記可視光を受光させ前記映像の撮像可能な状態に制御し、前記玄関子機の前記照度検知部にて検知される照度が所定値未満であり前記親機操作部の操作により前記モニタが出画状態になったとき、前記玄関子機の前記赤外光発光部を駆動させるとともに前記カメラにて前記赤外光を受光させ前記映像の撮像可能な状態に制御するためのＣＰＵ（２０６ａ）とを備えたことを特徴とするインターホン装置。
【請求項２】
玄関に設置され来訪者が住戸内に在室中の居住者を呼び出して通話を成立させるための玄関子機（１ｂ）と、前記住戸内に設置され前記来訪者からの呼び出しを報知し、当該呼び出しに応答した前記居住者が前記来訪者との間で通話を成立させるための居室親機（２ｂ）とを設け、
前記玄関子機には、可視光を受光して前記来訪者の映像を撮像可能なカメラ（１０１ｂ）と、前記玄関の周囲の照度を検知するための照度検知部（１０６）と、前記玄関の周囲に白色光を照射し、前記カメラにて前記可視光を受光させるための白色光発光部（１０７）とを備え、
前記玄関の周囲を含む広範囲に白色光を照射するために前記玄関子機から離間した位置に設けられる外部白色光発光器（３）を備え、
前記居室親機には、前記玄関子機の前記カメラにて撮像された映像を出画するためのモニタ（２００）と、前記モニタを出画状態にするための親機操作部（２０５ｂ）と、前記玄関子機の前記照度検知部にて検知される照度が所定値未満であり前記玄関子機からの呼び出しを検出したとき、前記玄関子機の前記白色光発光部を駆動させるとともに前記カメラにて前記可視光を受光させ前記映像の撮像可能な状態に制御し、前記玄関子機の前記照度検知部にて検知される照度が所定値未満であり前記親機操作部の操作により前記モニタが出画状態になったとき、前記外部白色光発光器を駆動させるとともに前記カメラにて前記可視光を受光させ前記映像の撮像可能な状態に制御するためのＣＰＵ（２０６ｂ）とを備えたことを特徴とするインターホン装置。
【発明の詳細な説明】
【技術分野】
【０００１】
本発明は、玄関に設置される玄関子機からの呼び出しに住戸内に設置される居室親機が応答して通話を成立させるインターホン装置に係り、特に、玄関の照度に対応させた光を照射し、この光が照射された映像を玄関子機のカメラにて撮像して居室親機のモニタに出画させることができるインターホン装置に関する。
【背景技術】
【０００２】
従来から、玄関子機と室内親機を接続する伝送路の長さに影響されずに、玄関子機のカラーテレビカメラの夜間照明を一定の明るさに維持できるカラーテレビドアホン装置が開示されている（例えば、特許文献１を参照。）。
【０００３】
このカラーテレビドアホン装置によれば、夜間照明用ＬＥＤとして白色ＬＥＤに流れる電流を徐々に増加させ、段々と明るくするように構成し、かつ明るさを伝送路の長さに関係なく一定に維持可能であるため、来訪者が呼出スイッチを押下した時、白色ＬＥＤが徐々に点灯するために一定の明るさを維持しながら来訪者を驚かすことなく照明を当てながら、夜間でも来訪者をカラー撮像することができる。
【０００４】
【特許文献１】特開平１１−２７６５５号公報
【発明の開示】
【発明が解決しようとする課題】
【０００５】
背景技術に記載した特許文献１のカラーテレビドアホン装置において、玄関子機のカラーテレビカメラを用いて来訪者の夜間撮像をカラーで行うためには、夜間照明用ＬＥＤを点灯させる必要があり、その前提として予め照明スイッチをオン側にセットしておかなければならず、このセット操作をし忘れたときに来訪者が呼出スイッチを押下すると、夜間照明用ＬＥＤが点灯せずに視認性の高いカラー撮像ができなかった。
【０００６】
また、背景技術に記載した特許文献１のカラーテレビドアホン装置において、玄関子機のカラーテレビカメラを用いたカラー撮像を例えば、監視映像として室内親機のカラーテレビモニタに出画させるにあたっては、その前提として映像モニタスイッチを操作する必要があるが、このモニタ操作を行うと玄関子機の夜間照明用ＬＥＤが点灯されるため、モニタ監視を行っていることが外部に気付かれてしまう虞があった。
【０００７】
本発明は、これらの難点を解消するためになされたもので、来訪者からの呼出時及び玄関の周囲の映像をモニタ監視するモニタ監視時において玄関子機のカメラにて撮像される映像を、玄関の照度に対応させた光が受光された映像をもとに撮像し、特に、モニタ監視を行っていることを玄関の周囲に気付かれずに当該モニタ監視時の撮像が可能なインターホン装置を提供することを目的としている。
【課題を解決するための手段】
【０００８】
前述の目的を達成するため、本発明の第１の態様であるインターホン装置は、玄関に設置され来訪者が住戸内に在室中の居住者を呼び出して通話を成立させるための玄関子機と、住戸内に設置され来訪者からの呼び出しを報知し、当該呼び出しに応答した居住者が来訪者との間で通話を成立させるための居室親機とを設けたものである。玄関子機には、可視光及び赤外光をそれぞれ受光して来訪者の映像を撮像可能なカメラと、玄関の周囲の照度を検知するための照度検知部と、玄関の周囲に白色光を照射し、カメラにて可視光を受光させるための白色光発光部と、玄関の周囲に赤外光を照射し、カメラにて赤外光を受光させるための赤外光発光部とを備えている。居室親機には、玄関子機のカメラにて撮像された映像を出画するためのモニタと、モニタを出画状態にするための親機操作部と、玄関子機の照度検知部にて検知される照度が所定値未満であり玄関子機からの呼び出しを検出したとき、玄関子機の白色光発光部を駆動させるとともにカメラにて可視光を受光させ映像の撮像可能な状態に制御し、玄関子機の照度検知部にて検知される照度が所定値未満であり親機操作部の操作によりモニタが出画状態になったとき、玄関子機の赤外光発光部を駆動させるとともにカメラにて赤外光を受光させ映像の撮像可能な状態に制御するためのＣＰＵとを備えている。
【０００９】
また、本発明の第２の態様であるインターホン装置は、玄関に設置され来訪者が住戸内に在室中の居住者を呼び出して通話を成立させるための玄関子機と、住戸内に設置され来訪者からの呼び出しを報知し、当該呼び出しに応答した居住者が来訪者との間で通話を成立させるための居室親機とを設けたものである。玄関子機には、可視光を受光して来訪者の映像を撮像可能なカメラと、玄関の周囲の照度を検知するための照度検知部と、玄関の周囲に白色光を照射し、カメラにて可視光を受光させるための白色光発光部とを備えている。玄関の周囲を含む広範囲に白色光を照射するために玄関子機から離間した位置に設けられる外部白色光発光器を備えている。居室親機には、玄関子機のカメラにて撮像された映像を出画するためのモニタと、モニタを出画状態にするための親機操作部と、玄関子機の照度検知部にて検知される照度が所定値未満であり玄関子機からの呼び出しを検出したとき、玄関子機の白色光発光部を駆動させるように制御し、玄関子機の照度検知部にて検知される照度が所定値未満であり親機操作部の操作によりモニタが出画状態になったとき、外部白色光発光器を駆動させるとともにカメラにて可視光を受光させ映像の撮像可能な状態に制御するためのＣＰＵとを備えている。
【発明の効果】
【００１０】
本発明のインターホン装置によれば、来訪者からの呼び出しが夜間帯のように玄関子機の照度検知部にて検知される照度が所定値未満であった場合には、居室親機のＣＰＵの制御により玄関子機の白色光発光部が駆動され、この白色光発光部から照射される白色光を受光したカメラにて撮像される来訪者の映像を、照度が確保された視認性の高い映像としてモニタに出画させることができる。
【００１１】
また、本発明のインターホン装置によれば、玄関の周囲の映像をモニタ監視するモニタ監視時が夜間帯のように玄関子機の照度検知部にて検知される照度が所定値未満であった場合には、居室親機のＣＰＵの制御により玄関子機の赤外光発光部が駆動され、この赤外光発光部から照射される赤外光を受光したカメラにて撮像される映像を、照度が確保された視認性の高い映像としてモニタに出画させることができ、特に、モニタ監視を行っていることを玄関の周囲に気付かれずに当該モニタ監視時の撮像が可能となる。
【００１２】
また、本発明のインターホン装置によれば、玄関の周囲の映像をモニタ監視するモニタ監視時が夜間帯のように玄関子機の照度検知部にて検知される照度が所定値未満であった場合には、居室親機のＣＰＵの制御により玄関の周囲を含む広範囲に白色光を照射するために玄関子機から離間した位置に設けられる外部白色光発光器が駆動され、この外部白色光発光器から照射される白色光を受光したカメラにて撮像される映像を、照度が確保された視認性の高い映像としてモニタに出画させることができ、特に、モニタ監視を行っていることを玄関の周囲に気付かれずに当該モニタ監視時の撮像が可能となる。
【発明を実施するための最良の形態】
【００１３】
以下、本発明のインターホン装置を適用した最良の実施の形態例について、図面を参照して説明する。
【００１４】
図１は、本発明の最良の実施の形態例として、第１の実施例によるインターホン装置の具体的な構成を示すブロック図である。このインターホン装置には、玄関に設置され来訪者が住戸内に在室中の居住者を呼び出して通話を成立させるための玄関子機１ａと、住戸内に設置され、伝送路Ｌ1aを経由して接続される玄関子機１ａからの呼び出しに応答した居住者が来訪者との間で通話を成立させるための居室親機２ａとが設けられている。
【００１５】
ここで、玄関子機１ａには、子機操作部１００、カメラ１０１ａ、子機映像処理部１０２ａ、子機マイク１０３、子機スピーカ１０４、子機通話部１０５、照度検知部１０６、白色光発光部１０７、赤外光発光部１０８及び子機Ｉ／Ｆ（インターフェース）１０９ａが備えられている。
【００１６】
この玄関子機１ａにおいて、子機操作部１００は、来訪者が居住者を呼び出すために操作するものであり、例えば、呼出ボタン１００ａにて構成されている。
【００１７】
カメラ１０１ａは、波長が例えば、４００〜８００ｎｍの可視光及び波長が例えば、０．８〜２．５μｍの赤外光をそれぞれ受光して、呼出操作を行った来訪者の映像や玄関の周囲の映像を撮像するためのものであり、例えば、ＣＣＤ、ＣＭＯＳ等の各種の撮像媒体にて構成されている。また、子機映像処理部１０２ａは、カメラ１０１ａにて撮像された映像である電気信号の映像信号を信号処理する例えば、ＦＭ変調、増幅等を行うためのものである。
【００１８】
子機マイク１０３及び子機スピーカ１０４は、来訪者が居住者との間で通話を成立させるにあたり音声（送話音声、受話音声）を入出力するためのものである。また、子機通話部１０５は、子機マイク１０３にて入力される音声（送話音声）である電気信号の音声信号を信号処理する例えば、４線／２線変換、増幅等を行うとともに、子機スピーカ１０４にて出力させる音声（受話音声）である電気信号の音声信号を信号処理する例えば、２線／４線変換、増幅等を行うためのものである。
【００１９】
照度検知部１０６は、玄関の周囲の照度を検知するためのものである。また、白色光発光部１０７は、居室親機２ａの後述するＣＰＵ２０６ａにより制御され、玄関の周囲に例えば、可視光の波長帯域を含む白色光を照射し、カメラ１０１ａにて可視光を受光させるためのものである。さらに、赤外光発光部１０８は、居室親機２ａの後述するＣＰＵ２０６ａにより制御され、玄関の周囲に赤外光を照射し、カメラ１０１ａにて赤外光を受光させるためのものである。
【００２０】
子機Ｉ／Ｆ１０９ａは、子機操作部１００から伝送路Ｌ1aへの信号伝送ラインと、伝送路Ｌ1aからカメラ１０１ａへの信号伝送ラインと、子機映像処理部１０２ａから伝送路Ｌ1aへの信号伝送ラインと、伝送路Ｌ1aから子機映像処理部１０２ａへの信号伝送ラインと、子機通話部１０５及び伝送路Ｌ1aの間の信号伝送ライン（通話ライン）と、照度検知部１０６及び伝送路Ｌ1aの間の信号伝送ラインと、伝送路Ｌ1aから白色光発光部１０７への信号伝送ラインと、伝送路Ｌ1aから赤外光発光部１０８への信号伝送ラインとをそれぞれ形成するためのものである。
【００２１】
また、居室親機２ａには、モニタ２００、親機映像処理部２０１、親機マイク２０２、親機スピーカ２０３、親機通話部２０４、親機操作部２０５、ＣＰＵ２０６ａ及び親機Ｉ／Ｆ２０７ａが備えられている。
【００２２】
この居室親機２ａにおいて、モニタ２００は、ＣＰＵ２０６ａにより出画状態に制御され、来訪者による玄関子機１ａからの呼び出しがあることを示す呼出表示画面と、玄関子機１ａのカメラ１０１ａにて撮像された映像を出画する映像出画画面とをそれぞれ表示／出画するためのものであり、例えば、ＬＣＤ、ＰＤＰ、有機ＥＬディスプレイ等の各種の出画表示媒体にて構成されている。また、親機映像処理部２０１は、ＣＰＵ２０６ａにより制御され、玄関子機１ａから伝送路Ｌ1aを経由して伝送されてくる電気信号の映像信号を信号処理する例えば、ＦＭ復調、増幅等を行い、玄関子機１ａのカメラ１０１ａにて撮像された映像を、モニタ２００に出画させるためのものである。
【００２３】
親機マイク２０２及び親機スピーカ２０３は、居住者が来訪者との間で通話を成立させるにあたり音声（送話音声、受話音声）を入出力するためのものであり、この親機スピーカ２０３は、前述の通話機能のみならず来訪者による玄関子機１ａからの呼び出しがあることを示す呼出音や音声メッセージ等を出力するための呼出報知機能が備えられている。また、親機通話部２０４は、親機マイク２０２にて入力される音声（送話音声）である電気信号の音声信号を信号処理する例えば、４線／２線変換、増幅等を行うとともに、親機スピーカ２０３にて出力させる音声（受話音声）である電気信号の音声信号を信号処理する例えば、２線／４線変換、増幅等を行うためのものである。
【００２４】
親機操作部２０５は、ＣＰＵ２０６ａにより操作検出され、来訪者による玄関子機１ａからの呼び出しがあることを確認した居住者が応答し、親機マイク２０２及び親機スピーカ２０３の使用による通話を成立させるための応答操作、又は成立中の通話を終了するための終話操作を行う通話ボタン２０５ａと、玄関子機１ａのカメラ１０１ａを駆動させモニタ２００を出画状態にするためのモニタボタン２０５ｂとで構成されている。なお、前述の通話ボタン２０５ａ及びモニタボタン２０５ｂはそれぞれ、独立した個別の押圧ボタンの態様に限定されるものではなく、例えば、モニタ２００の前面に配置されるタッチパネル上に設けることもできる。
【００２５】
ＣＰＵ２０６ａは、居室親機２ａの構成各部／回路を制御するためのものであり、具体的な制御として、例えば、玄関子機１ａの照度検知部１０６にて検知される照度が所定値未満であり玄関子機１ａからの呼び出しを検出したとき、玄関子機１ａの白色光発光部１０７を駆動させるとともにカメラ１０１ａにて可視光を受光させ映像の撮像可能な状態に制御することができる。また、ＣＰＵ２０６ａは、玄関子機１ａの照度検知部１０６にて検知される照度が所定値未満であり親機操作部２０５を構成するモニタボタン２０５ｂの操作によりモニタ２００が出画状態になったとき、玄関子機１ａの赤外光発光部１０８を駆動させるとともにカメラ１０１ａにて赤外光を受光させ映像の撮像可能な状態に制御することができる。
【００２６】
親機Ｉ／Ｆ２０７ａは、伝送路Ｌ1aから親機映像処理部２０１への信号伝送ラインと、親機通話部２０４及び伝送路Ｌ1aの間の信号伝送ライン（通話ライン）と、ＣＰＵ２０６ａ及び伝送路Ｌ1aの間の信号伝送ラインとをそれぞれ形成するためのものである。
【００２７】
このように構成された本発明の第１の実施例によるインターホン装置において、以下、具体的な動作について、図１を参照して説明する。
【００２８】
最初に、本発明の第１の実施例における第１の動作として、玄関に居る来訪者が住戸内に在室中の居住者を呼び出すために、玄関子機１ａの子機操作部１００を構成する呼出ボタン１００ａを操作すると、この子機操作部１００から子機Ｉ／Ｆ１０９ａ、伝送路Ｌ1a、居室親機２ａの親機Ｉ／Ｆ２０７ａを経由してＣＰＵ２０６ａに呼出信号Ｓ1aが伝送されるとともに、照度検知部１０６が駆動されて玄関の周囲の照度を検知開始する。また、照度検知部１０６にて検知された照度は、電気信号の照度信号Ｓ2aに信号処理された後、子機Ｉ／Ｆ１０９ａ、伝送路Ｌ1a、居室親機２ａの親機Ｉ／Ｆ２０７ａを経由してＣＰＵ２０６ａに伝送される。
【００２９】
居室親機２ａのＣＰＵ２０６ａは、玄関子機１ａから伝送されてきた呼出信号Ｓ1aをもとに玄関に居る来訪者からの呼び出しがあることを検出し、その旨の呼出音や音声メッセージ等を親機スピーカ２０３から出力させて呼出報知を行うとともに、モニタ２００及び親機映像処理部２０１がそれぞれ駆動されるように制御する。また、ＣＰＵ２０６ａは、同様に伝送されてきた照度信号Ｓ2aをもとに玄関の周囲の照度を検出し、この照度と予め設定されている所定値との比較を行う。
【００３０】
ここで、玄関の周囲の照度が所定値以上であった場合、例えば、日中のように玄関の周囲が明るい場合には、これを検出した居室親機２ａのＣＰＵ２０６ａは、玄関子機１ａのカメラ１０１ａ及び子機映像処理部１０２ａをそれぞれ駆動させるための映像制御信号Ｓ3aを生成し、親機Ｉ／Ｆ２０７ａ、伝送路Ｌ1a、玄関子機１ａの子機Ｉ／Ｆ１０９ａを経由してカメラ１０１ａ及び子機映像処理部１０２ａにそれぞれ送出する。
【００３１】
玄関子機１ａのカメラ１０１ａは、居室親機２ａからの映像制御信号Ｓ3aを受信して駆動され、呼出操作を行った来訪者の映像を撮像する。この映像は、居室親機２ａからの映像制御信号Ｓ3aを受信して同様に駆動された子機映像処理部１０２ａにて例えば、ＦＭ変調、増幅等された映像信号Ｓ4aとして、子機Ｉ／Ｆ１０９ａ、伝送路Ｌ1a、居室親機２ａの親機Ｉ／Ｆ２０７ａを経由して親機映像処理部２０１に伝送される。
【００３２】
居室親機２ａの親機映像処理部２０１は、玄関子機１ａから伝送されてきた映像信号Ｓ4aを例えば、ＦＭ復調、増幅等してモニタ２００に送出することにより、呼出操作を行った来訪者の映像を、玄関の周囲の照度が確保された視認性の高い映像としてモニタ２００に出画させることができる。
【００３３】
一方、玄関の周囲の照度が所定値未満であった場合、例えば、夜間帯のように玄関の周囲が暗い場合には、これを検出した居室親機２ａのＣＰＵ２０６ａは、玄関子機１ａの白色光発光部１０７を駆動させるための発光制御信号Ｓ5aを生成し、親機Ｉ／Ｆ２０７ａ、伝送路Ｌ1a、玄関子機１ａの子機Ｉ／Ｆ１０９ａを経由して白色光発光部１０７に送出するとともに、前述の映像制御信号Ｓ3aを生成して玄関子機１ａのカメラ１０１ａ及び子機映像処理部１０２ａにそれぞれ送出する。
【００３４】
玄関子機１ａにおいて、居室親機２ａからの発光制御信号Ｓ5aを受信した白色光発光部１０７は、白色光を（呼出操作を行った来訪者に向けて）照射することができる。また、カメラ１０１ａは、居室親機２ａからの映像制御信号Ｓ3aを受信して駆動され、白色光発光部１０７により白色光が照射された来訪者の映像を可視光の受光をもとに撮像する。この映像は、居室親機２ａからの映像制御信号Ｓ3aを受信して同様に駆動された子機映像処理部１０２ａにて例えば、ＦＭ変調、増幅等された映像信号Ｓ6aとして、前述の映像信号Ｓ4aと同一の信号伝送ラインを経由して居室親機２ａの親機映像処理部２０１に伝送される。
【００３５】
居室親機２ａの親機映像処理部２０１は、玄関子機１ａから伝送されてきた映像信号Ｓ6aを例えば、ＦＭ復調、増幅等してモニタ２００に送出することにより、呼出操作を行った来訪者の映像を、夜間帯であっても玄関の周囲の照度が確保された視認性の高い映像としてモニタ２００に出画させることができる。
【００３６】
なお、居室親機２ａのモニタ２００には、呼出操作を行った来訪者の映像のみならず、来訪者からの呼び出しがある旨の呼出メッセージや絵データ等を、ＣＰＵ２０６ａの制御により表示させることもできる。
【００３７】
また、玄関に居る来訪者からの呼び出しがあることを、居室親機２ａのモニタ２００に出画されている映像と併せて確認した居住者は、親機操作部２０５を構成する通話ボタン２０５ａを使用して応答操作を行うと、この操作を検出したＣＰＵ２０６ａにより親機通話部２０４及び玄関子機１ａの子機通話部１０５がそれぞれ駆動され、居住者が使用する親機マイク２０２から親機通話部２０４、親機Ｉ／Ｆ２０７ａ、伝送路Ｌ1a、玄関子機１ａの子機Ｉ／Ｆ１０９ａ、子機通話部１０５を経由して来訪者が使用する子機スピーカ１０４への信号伝送ライン（通話ライン）と、来訪者が使用する玄関子機１ａの子機マイク１０３から子機通話部１０５、子機Ｉ／Ｆ１０９ａ、伝送路Ｌ1a、居室親機２ａの親機Ｉ／Ｆ２０７ａ、親機通話部２０４を経由して居住者が使用する親機スピーカ２０３への信号伝送ライン（通話ライン）とがそれぞれ形成され、形成された各信号伝送ラインを経由して音声信号を送受信させることで通話が成立する。
【００３８】
次に、本発明の第１の実施例における第２の動作として、住戸内に在室中の居住者が玄関の周囲の映像をモニタ監視するために、居室親機２ａの親機操作部２０５を構成するモニタボタン２０５ｂを操作すると、この操作を検出したＣＰＵ２０６ａは、モニタ２００及び親機映像処理部２０１がそれぞれ駆動されるように制御するとともに、玄関子機１ａの照度検知部１０６を駆動させるための照度検知制御信号Ｓ7aを生成し、親機Ｉ／Ｆ２０７ａ、伝送路Ｌ1a、玄関子機１ａの子機Ｉ／Ｆ１０９ａを経由して照度検知部１０６に送出する。
【００３９】
玄関子機１ａの照度検知部１０６は、居室親機２ａからの照度検知制御信号Ｓ7aを受信して駆動され、玄関の周囲の照度を検知開始する。また、照度検知部１０６にて検知された照度は、電気信号の照度信号Ｓ8aに信号処理された後、前述の照度信号Ｓ2aと同一の信号伝送ラインを経由して居室親機２ａのＣＰＵ２０６ａに伝送される。
【００４０】
居室親機２ａのＣＰＵ２０６ａは、玄関子機１ａから伝送されてきた照度信号Ｓ8aをもとに玄関の周囲の照度を検出し、この照度と予め設定されている所定値との比較を行う。
【００４１】
ここで、玄関の周囲の照度が所定値以上であった場合、例えば、日中のように玄関の周囲が明るい場合には、これを検出した居室親機２ａのＣＰＵ２０６ａは、前述の映像制御信号Ｓ3aを生成して玄関子機１ａのカメラ１０１ａ及び子機映像処理部１０２ａにそれぞれ送出する。
【００４２】
玄関子機１ａのカメラ１０１ａは、居室親機２ａからの映像制御信号Ｓ3aを受信して駆動され、玄関の周囲の映像を撮像する。この映像は、居室親機２ａからの映像制御信号Ｓ3aを受信して同様に駆動された子機映像処理部１０２ａにて例えば、ＦＭ変調、増幅等された映像信号Ｓ9aとして、前述の映像信号Ｓ4a、Ｓ6aと同一の信号伝送ラインを経由して居室親機２ａの親機映像処理部２０１に伝送される。
【００４３】
居室親機２ａの親機映像処理部２０１は、玄関子機１ａから伝送されてきた映像信号Ｓ9aを例えば、ＦＭ復調、増幅等してモニタ２００に送出することにより、玄関の周囲の映像を、玄関の周囲の照度が確保された視認性の高い映像としてモニタ２００に出画させることができ、モニタ監視が可能となる。
【００４４】
一方、玄関の周囲の照度が所定値未満であった場合、例えば、夜間帯のように玄関の周囲が暗い場合には、これを検出した居室親機２ａのＣＰＵ２０６ａは、玄関子機１ａの赤外光発光部１０８を駆動させるための発光制御信号Ｓ10aを生成し、親機Ｉ／Ｆ２０７ａ、伝送路Ｌ1a、玄関子機１ａの子機Ｉ／Ｆ１０９ａを経由して赤外光発光部１０８に送出するとともに、前述の映像制御信号Ｓ3aを生成して玄関子機１ａのカメラ１０１ａ及び子機映像処理部１０２ａにそれぞれ送出する。
【００４５】
玄関子機１ａにおいて、居室親機２ａからの発光制御信号Ｓ10aを受信した赤外光発光部１０８は、赤外光を（玄関の周囲に向けて）照射することができる。また、カメラ１０１ａは、居室親機２ａからの映像制御信号Ｓ3aを受信して駆動され、赤外光発光部１０８により赤外光が照射された玄関の周囲の映像を赤外光の受光をもとに撮像する。この映像は、居室親機２ａからの映像制御信号Ｓ3aを受信して同様に駆動された子機映像処理部１０２ａにて例えば、ＦＭ変調、増幅等された映像信号Ｓ11aとして、前述の映像信号Ｓ4a、Ｓ6a、Ｓ9aと同一の信号伝送ラインを経由して居室親機２ａの親機映像処理部２０１に伝送される。
【００４６】
居室親機２ａの親機映像処理部２０１は、玄関子機１ａから伝送されてきた映像信号Ｓ11aを例えば、ＦＭ復調、増幅等してモニタ２００に送出することにより、玄関の周囲の映像を、夜間帯であっても玄関の周囲の照度が確保された視認性の高い映像としてモニタ２００に出画させることができ、モニタ監視が可能となる。
【００４７】
前述までの説明から明らかなように、本発明の第１の実施例によるインターホン装置によれば、来訪者からの呼び出しが夜間帯のように玄関子機１ａの照度検知部１０６にて検知される照度が所定値未満であった場合には、居室親機２ａのＣＰＵ２０６ａの制御により玄関子機１ａの白色光発光部１０７が駆動され、この白色光発光部１０７から照射される白色光を受光したカメラ１０１ａにて撮像される来訪者の映像を、照度が確保された視認性の高い映像としてモニタ２００に出画させることができる。また、玄関の周囲の映像をモニタ監視するモニタ監視時が夜間帯のように玄関子機１ａの照度検知部１０６にて検知される照度が所定値未満であった場合には、居室親機２ａのＣＰＵ２０６ａの制御により玄関子機１ａの赤外光発光部１０８が駆動され、この赤外光発光部１０８から照射される赤外光を受光したカメラ１０１ａにて撮像される映像を、照度が確保された視認性の高い映像としてモニタ２００に出画させることができ、特に、モニタ監視を行っていることを気付かれずに当該モニタ監視時の撮像が可能となる。
【００４８】
次に、前述の第１の実施例と同様な効果、すなわち、来訪者からの呼出時及び玄関の周囲の映像をモニタ監視するモニタ監視時において当該玄関子機のカメラにて撮像される映像を、玄関の照度に対応させた異なる光が受光された映像をもとに撮像し、特に、モニタ監視を行っていることを気付かれずに当該モニタ監視時の撮像が可能となる別途のインターホン装置について、以下、本発明の第２の実施例によるインターホン装置として、具体的な構成を示す図２のブロック図を参照して説明する。なお、第２の実施例において、前述の第１の実施例と同様な作用・機能を有する構成各部／回路については、同一の符号・名称を付与するものとし、説明は省略するものとする。
【００４９】
図２に示すインターホン装置には、玄関に設置され来訪者が住戸内に在室中の居住者を呼び出して通話を成立させるための玄関子機１ｂと、玄関の周囲を含む広範囲に白色光を照射するために玄関子機１ｂから離間した位置に設けられる外部白色光発光器３と、住戸内に設置され、伝送路Ｌ1bを経由して接続される玄関子機１ｂからの呼び出しに応答した居住者が来訪者との間で通話を成立させるとともに、伝送路Ｌ2を経由して接続される外部白色光発光器３を駆動させるための居室親機２ｂとが設けられている。
【００５０】
ここで、玄関子機１ｂには、子機操作部１００、カメラ１０１ｂ、子機映像処理部１０２ｂ、子機マイク１０３、子機スピーカ１０４、子機通話部１０５、照度検知部１０６、白色光発光部１０７及び子機Ｉ／Ｆ１０９ｂが備えられている。
【００５１】
この玄関子機１ｂにおいて、カメラ１０１ｂは、白色光を受光して、呼出操作を行った来訪者の映像や玄関の周囲の映像を撮像するためのものであり、例えば、ＣＣＤ、ＣＭＯＳ等の各種の撮像媒体にて構成されている。また、子機映像処理部１０２ｂは、カメラ１０１ｂにて撮像された映像である電気信号の映像信号を信号処理する例えば、ＦＭ変調、増幅等を行うためのものである。
【００５２】
子機Ｉ／Ｆ１０９ｂは、子機操作部１００から伝送路Ｌ1bへの信号伝送ラインと、伝送路Ｌ1bからカメラ１０１ｂへの信号伝送ラインと、子機映像処理部１０２ｂから伝送路Ｌ1bへの信号伝送ラインと、伝送路Ｌ1bから子機映像処理部１０２ｂへの信号伝送ラインと、子機通話部１０５及び伝送路Ｌ1bの間の信号伝送ライン（通話ライン）と、照度検知部１０６及び伝送路Ｌ1bの間の信号伝送ラインと、伝送路Ｌ1bから白色光発光部１０７への信号伝送ラインとをそれぞれ形成するためのものである。
【００５３】
また、居室親機２ｂには、モニタ２００、親機映像処理部２０１、親機マイク２０２、親機スピーカ２０３、親機通話部２０４、親機操作部２０５、ＣＰＵ２０６ｂ、子機側親機Ｉ／Ｆ２０７ｂ、発光器側親機Ｉ／Ｆ２０８が備えられている。
【００５４】
この居室親機２ｂにおいて、ＣＰＵ２０６ｂは、居室親機２ｂの構成各部／回路を制御するためのものであり、具体的な制御として、玄関子機１ｂの照度検知部１０６にて検知される照度が所定値未満であり玄関子機１ｂからの呼び出しを検出したとき、玄関子機１ｂの白色光発光部１０７を駆動させるとともにカメラ１０１ｂにて可視光を受光させ映像の撮像可能な状態に制御することができる。また、ＣＰＵ２０６ｂは、玄関子機１ｂの照度検知部１０６にて検知される照度が所定値未満であり親機操作部２０５を構成するモニタボタン２０５ｂの操作によりモニタ２００が出画状態になったとき、外部白色光発光器３を駆動させるとともに玄関子機１ｂのカメラ１０１ｂにて白色光を受光させ映像の撮像可能な状態に制御することができる。
【００５５】
子機側親機Ｉ／Ｆ２０７ｂは、伝送路Ｌ1bから親機映像処理部２０１への信号伝送ラインと、親機通話部２０４及び伝送路Ｌ1bの間の信号伝送ライン（通話ライン）と、ＣＰＵ２０６ｂ及び伝送路Ｌ1bの間の信号伝送ラインとをそれぞれ形成するためのものである。また、発光器側親機Ｉ／Ｆ２０８は、ＣＰＵ２０６ｂ及び伝送路Ｌ2の間の信号伝送ラインを形成するためのものである。
【００５６】
このように構成された本発明の第２の実施例によるインターホン装置において、以下、具体的な動作について、図２を参照して説明する。
【００５７】
最初に、本発明の第２の実施例における第１の動作として、玄関に居る来訪者が住戸内に在室中の居住者を呼び出すために、玄関子機１ｂの子機操作部１００を構成する呼出ボタン１００ａを操作すると、前述の第１の実施例における第１の動作と同様、子機操作部１００から子機Ｉ／Ｆ１０９ｂ、伝送路Ｌ1b、居室親機２ｂの子機側親機Ｉ／Ｆ２０７ｂを経由してＣＰＵ２０６ｂに呼出信号Ｓ1bが伝送されるとともに、照度検知部１０６が駆動されて玄関の周囲の照度を検知開始する。また、照度検知部１０６にて検知された照度は、電気信号の照度信号Ｓ2bに信号処理された後、子機Ｉ／Ｆ１０９ｂ、伝送路Ｌ1b、居室親機２ｂの子機側親機Ｉ／Ｆ２０７ｂを経由してＣＰＵ２０６ｂに伝送される。
【００５８】
居室親機２ｂのＣＰＵ２０６ｂは、玄関子機１ｂから伝送されてきた呼出信号Ｓ1bをもとに玄関に居る来訪者からの呼び出しがあることを検出し、その旨の呼出音や音声メッセージ等を親機スピーカ２０３から出力させて呼出報知を行うとともに、モニタ２００及び親機映像処理部２０１がそれぞれ駆動されるように制御する。また、ＣＰＵ２０６ｂは、同様に伝送されてきた照度信号Ｓ2bをもとに玄関の周囲の照度を検出し、この照度と予め設定されている所定値との比較を行う。
【００５９】
ここで、玄関の周囲の照度が所定値以上であった場合、例えば、日中のように玄関の周囲が明るい場合には、これを検出した居室親機２ｂのＣＰＵ２０６ｂは、玄関子機１ｂのカメラ１０１ｂ及び子機映像処理部１０２ｂをそれぞれ駆動させるための映像制御信号Ｓ3bを生成し、子機側親機Ｉ／Ｆ２０７ｂ、伝送路Ｌ1b、玄関子機１ｂの子機Ｉ／Ｆ１０９ｂを経由してカメラ１０１ｂ及び子機映像処理部１０２ｂにそれぞれ送出する。
【００６０】
玄関子機１ｂのカメラ１０１ｂは、居室親機２ｂからの映像制御信号Ｓ3bを受信して駆動され、呼出操作を行った来訪者の映像を撮像する。この映像は、居室親機２ｂからの映像制御信号Ｓ3bを受信して同様に駆動された子機映像処理部１０２ｂにて例えば、ＦＭ変調、増幅等された映像信号Ｓ4bとして、子機Ｉ／Ｆ１０９ｂ、伝送路Ｌ1b、居室親機２ｂの子機側親機Ｉ／Ｆ２０７ｂを経由して親機映像処理部２０１に伝送される。
【００６１】
居室親機２ｂの親機映像処理部２０１は、玄関子機１ｂから伝送されてきた映像信号Ｓ4bを例えば、ＦＭ復調、増幅等してモニタ２００に送出することにより、呼出操作を行った来訪者の映像を、玄関の周囲の照度が確保された視認性の高い映像として、モニタ２００に出画させることができる。
【００６２】
一方、玄関の周囲の照度が所定値未満であった場合、例えば、夜間帯のように玄関の周囲が暗い場合の動作は、前述の第１の実施例の該当動作と同様であるため省略するものとし、呼出操作を行った来訪者の映像は、夜間帯であっても、玄関子機１ｂの白色光発光部１０７から照射される白色光により玄関の周囲の照度が確保された視認性の高い映像として、居室親機２ｂのモニタ２００に出画させることができる。
【００６３】
また、玄関に居る来訪者からの呼び出しがあることを、居室親機２ｂのモニタ２００に出画されている映像と併せて確認した居住者が親機操作部２０５を構成するモニタ２０５ａを使用して応答操作を行い、通話を成立させる動作についても、前述の第１の実施例の該当動作と同様であるため省略するものとする。
【００６４】
次に、本発明の第２の実施例における第２の動作として、住戸内に在室中の居住者が玄関の周囲の映像をモニタ監視するために、居室親機２ｂの親機操作部２０５を構成するモニタボタン２０５ｂを操作すると、この操作を検出したＣＰＵ２０６ｂは、モニタ２００及び親機映像処理部２０１がそれぞれ駆動されるように制御するとともに、玄関子機１ｂの照度検知部１０６を駆動させるための照度検知制御信号Ｓ5bを生成し、子機側親機Ｉ／Ｆ２０７ｂ、伝送路Ｌ1b、玄関子機１ｂの子機Ｉ／Ｆ１０９ｂを経由して照度検知部１０６に送出する。
【００６５】
玄関子機１ｂの照度検知部１０６は、居室親機２ｂからの照度検知制御信号Ｓ5bを受信して駆動され、玄関の周囲の照度を検知開始する。また、照度検知部１０６にて検知された照度は、電気信号の照度信号Ｓ6bに信号処理された後、前述の照度信号Ｓ2bと同一の信号伝送ラインを経由して居室親機２ｂのＣＰＵ２０６ｂに伝送される。
【００６６】
居室親機２ｂのＣＰＵ２０６ｂは、玄関子機１ｂから伝送されてきた照度信号Ｓ6bをもとに玄関の周囲の照度を検出し、この照度と予め設定されている所定値との比較を行う。
【００６７】
ここで、玄関の周囲の照度が所定値以上であった場合、例えば、日中のように玄関の周囲が明るい場合には、これを検出した居室親機２ｂのＣＰＵ２０６ｂは、前述の映像制御信号Ｓ3bを生成して玄関子機１ｂのカメラ１０１ｂ及び子機映像処理部１０２ｂにそれぞれ送出する。
【００６８】
玄関子機１ｂのカメラ１０１ｂは、居室親機２ｂからの映像制御信号Ｓ3bを受信して駆動され、玄関の周囲の映像を撮像する。この映像は、居室親機２ｂからの映像制御信号Ｓ3bを受信して同様に駆動された子機映像処理部１０２ｂにて例えば、ＦＭ変調、増幅等された映像信号Ｓ7bとして、前述の映像信号Ｓ4bと同一の信号伝送ラインを経由して居室親機２ｂの親機映像処理部２０１に伝送される。
【００６９】
居室親機２ｂの親機映像処理部２０１は、玄関子機１ｂから伝送されてきた映像信号Ｓ7bを例えば、ＦＭ復調、増幅等してモニタ２００に送出することにより、玄関の周囲の映像を、玄関の周囲の照度が確保された視認性の高い映像としてモニタ２００に出画させることができ、モニタ監視が可能となる。
【００７０】
一方、玄関の周囲の照度が所定値未満であった場合、例えば、夜間帯のように玄関の周囲が暗い場合には、これを検出した居室親機２ｂのＣＰＵ２０６ｂは、外部白色光発光器３を駆動させるための外部発光制御信号Ｓ8bを生成し、発光器側親機Ｉ／Ｆ２０８、伝送路Ｌ2を経由して外部白色光発光器３に送出するとともに、前述の映像制御信号Ｓ3bを生成して玄関子機１ｂのカメラ１０１ｂ及び子機映像処理部１０２ｂにそれぞれ送出する。
【００７１】
玄関子機１ｂのカメラ１０１ｂは、居室親機２ｂからの映像制御信号Ｓ3bを受信して駆動され、居室親機２ｂからの外部発光制御信号Ｓ8bを受信して駆動された外部白色光発光器３により白色光が照射された玄関の周囲の映像を白色光の受光をもとに撮像する。この映像は、居室親機２ｂからの映像制御信号Ｓ3bを受信して同様に駆動された子機映像処理部１０２ｂにて例えば、ＦＭ変調、増幅等された映像信号Ｓ9bとして、前述の映像信号Ｓ4b、Ｓ7bと同一の信号伝送ラインを経由して居室親機２ｂの親機映像処理部２０１に伝送される。
【００７２】
居室親機２ｂの親機映像処理部２０１は、玄関子機１ｂから伝送されてきた映像信号Ｓ9bを例えば、ＦＭ復調、増幅等してモニタ２００に送出することにより、玄関の周囲の映像を、夜間帯であっても玄関の周囲の照度が確保された視認性の高い映像としてモニタ２００に出画させることができ、モニタ監視が可能となる。
【００７３】
前述までの説明から明らかなように、本発明の第２の実施例によるインターホン装置によれば、来訪者からの呼び出しが夜間帯のように玄関子機１ｂの照度検知部１０６にて検知される照度が所定値未満であった場合には、居室親機２ｂのＣＰＵ２０６ｂの制御により玄関子機１ｂの白色光発光部１０７が駆動され、この白色光発光部１０７から照射される白色光を受光したカメラ１０１ｂにて撮像される来訪者の映像を、照度が確保された視認性の高い映像としてモニタ２００に出画させることができる。また、玄関の周囲の映像をモニタ監視するモニタ監視時が夜間帯のように玄関子機１ｂの照度検知部１０６にて検知される照度が所定値未満であった場合には、居室親機２ｂのＣＰＵ２０６ｂの制御により玄関の周囲を含む広範囲に白色光を照射するために玄関子機から離間した位置に設けられる外部白色光発光器３が駆動され、この外部白色光発光器３から照射される白色光を受光したカメラ１０１ｂにて撮像される映像を、照度が確保された視認性の高い映像としてモニタ２００に出画させることができ、特に、モニタ監視を行っていることを気付かれずに当該モニタ監視時の撮像が可能となる。
【００７４】
また、本発明の第１、第２の各実施例によるインターホン装置によれば、玄関子機１ａ、１ｂにおける構成として、照度検知部１０６とカメラ１０１ａ、１０１ｂとを別途に設ける態様を適用したが、この態様に限定されるものではない。例えば、照度検知部１０６が有する玄関の周囲の照度検知機能をカメラ１０１ａ、１０１ｂに備えることもでき、この態様によれば、玄関子機１ａ、１ｂの構成の簡素化が図られる。
【００７５】
最後に、本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【図面の簡単な説明】
【００７６】
【図１】本発明の第１の実施例によるインターホン装置の具体的な構成を示すブロック図。
【図２】本発明の第２の実施例によるインターホン装置の具体的な構成を示すブロック図。
【符号の説明】
【００７７】
１ａ、１ｂ……玄関子機
１０１ａ、１０１ｂ……カメラ
１０６……照度検知部
１０７……白色光発光部
１０８……赤外光発光部
２ａ、２ｂ……居室親機
２００……モニタ
２０５ｂ……モニタボタン（親機操作部）
２０６ａ、２０６ｂ……ＣＰＵ
３……外部白色光発光器
【図１】
2009055532.tif 000003
【図２】
2009055532.tif 000004